(57)【要約】【課題】パチンコ台の台間部に設置可能なカード処理装置を提供する。【解決手段】カードスタッカから非接触型ＩＣカードからなるカードを１枚ずつ繰出し、又はそのカードスタッカの下部側からそのカードスタッカにカードを収納させる繰出・収納機構と、前記カードスタッカ及びカード挿入口間に設けられた搬送路と、その搬送路で搬送されるカードの搬送位置を検出する検出手段と、前記搬送路の途中に設けられたアンテナと、前記繰出・収納機構を介して繰出されたカード、又は前記カード挿入口から挿入されたカードが前記アンテナの位置まで搬送されたときに、その搬送路の駆動を停止して所定のリードライトを行い、その所定のリードライトの終了したカードをそのカードスタッカまで搬送してそのカードスタッカに収納し、又はそのカードをカード挿入口へ排出する制御手段とを有する。【選択図】      図２
2005320117.tif 000002
【特許請求の範囲】
【請求項１】
複数枚の非接触型ＩＣカードからなるカードを積層して収納するカードスタッカと、
前記カードスタッカの下部に設けられ、そのカードスタッカからカードを１枚ずつ繰出し、又はそのカードスタッカの下部側からそのカードスタッカにカードを収納させる繰出・収納機構と、
前記カードスタッカ及びそのカードスタッカから所定距離離れた位置に設けられているカード挿入口間に設けられたカードを搬送させる搬送路と、
前記搬送路で搬送されるカードの搬送位置を検出する検出手段と、
前記搬送路の途中で、かつ、その搬送路に接近して設けられた前記カードと交信するためのアンテナと、
前記カードスタッカから前記繰出・収納機構を介して繰出されたカード、又は前記カード挿入口から挿入されたカードが前記搬送路を介して前記アンテナに対向する所定位置まで搬送されたときに、その搬送路の駆動を停止してそのカードに対してそのアンテナを介して所定のリードライトを行い、その所定のリードライトの終了したカードをその搬送路を介してそのカードスタッカまで搬送するとともに、その繰出・収納機構を介してそのカードスタッカに収納し、又はその所定のリードライトの終了したカードをその搬送路を介してそのカード挿入口へ排出する制御手段と、
を有することを特徴とするカード処理装置。
【請求項２】
請求項１に記載のカード処理装置において、繰出・収納機構は、カードを載置するアイドリングローラ及びそのアイドリングローラと所定の間隔を保ち、かつ、搬送路側に位置してその載置されているカードを繰出す繰出ローラを有するとともに、そのアイドリングローラの支軸を回転軸としてその繰出ローラ側のカードを持上げることのできるソレノイドで駆動されるレバーを有していることを特徴とするカード処理装置。
【請求項３】
請求項１又は２に記載のカード処理装置において、制御手段は、カードに対してアンテナを介して所定のリードライトを行う際、その所定のリードライトを行うための駆動電源以外はオフにされることを特徴とするカード処理装置。
【請求項４】
請求項１〜３のいずれかに記載のカード処理装置において、カード処理装置の本体は、並設されるパチンコ台等の遊技台の台間部に設置されるものであることを特徴とするカード処理装置。
【請求項５】
請求項１〜４のいずれかに記載のカード処理装置において、カードは、その平面形状は長方形を呈し、その長方形の短辺は、並設されるパチンコ台等の遊技台の台間部の間隔よりも少し小さく形成されていることを特徴とするカード処理装置。
【発明の詳細な説明】
【技術分野】
【０００１】
本発明はカード処理装置に係り、特に、パチンコ店等の遊技場に好適なカード処理装置に関する。
【背景技術】
【０００２】
近年、パチンコ店やスロットマシン等の遊技場では、顧客（遊技者）の利便向上を図るとともに、遊技場経営の効率化を図るために磁気券等からなるカードが採用されるようになってきており、そのためのカード処理装置も提案されている（特許文献１，２参照）。  
【０００３】
上記提案に係るカード処理装置は、いずれもカードを積層して収納するカードスタッカと、そのカードスタッカの下部からカードを出入れする繰出機構が設けられている。したがって、カードスタッカ内のカードを繰返し使用することができ、また、そのカードスタッカ内にカードを収納することができる。
【特許文献１】特許第３４９６４２９号公報
【特許文献２】実開平７−４４７１号公報
【発明の開示】
【発明が解決しようとする課題】
【０００４】
しかしながら、上記提案に係るいずれのカード処理装置も、カードスタッカの下部からカードを出入れするという構成を有しているが、これらカード処理装置は、パチンコ台等の遊技台と異なる別の場所に設置されるもので、遊技台の台間の狭い場所にそのまま設置される構造とはなっていなかった。
【０００５】
また、遊技カードとしては、安全上の理由から磁気券ではなくＩＣカードとすることが望まれているとともに、そのＩＣカードを効率よく処理することのできるカード処理装置の出現が待たれていた。
【０００６】
そこで、本発明は、上記欠点を解決するとともに、上記要望に応えるためになされたものであって、その目的は、パチンコ台等の台間に設置することができるように実装密度が高く、しかも、高安全性のカード処理装置を提供することにある。
【課題を解決するための手段】
【０００７】
本発明に係るカード処理装置は、上記目的を達成するために、請求項１に記載の発明は、複数枚の非接触型ＩＣカードからなるカードを積層して収納するカードスタッカと、そのカードスタッカの下部に設けられ、そのカードスタッカからカードを１枚ずつ繰出し、又はそのカードスタッカの下部側からそのカードスタッカにカードを収納させる繰出・収納機構と、前記カードスタッカ及びそのカードスタッカから所定距離離れた位置に設けられているカード挿入口間に設けられたカードを搬送させる搬送路と、その搬送路で搬送されるカードの搬送位置を検出する検出手段と、前記搬送路の途中で、かつ、その搬送路に接近して設けられた前記カードと交信するためのアンテナと、前記カードスタッカから前記繰出・収納機構を介して繰出されたカード、又は前記カード挿入口から挿入されたカードが前記搬送路を介して前記アンテナに対向する所定位置まで搬送されたときに、その搬送路の駆動を停止してそのカードに対してそのアンテナを介して所定のリードライトを行い、その所定のリードライトの終了したカードをその搬送路を介してそのカードスタッカまで搬送するとともに、その繰出・収納機構を介してそのカードスタッカに収納し、又はその所定のリードライトの終了したカードをその搬送路を介してそのカード挿入口へ排出する制御手段と、を有することを特徴としている。
本発明の請求項２に記載のカード処理装置は、繰出・収納機構は、カードを載置するアイドリングローラ及びそのアイドリングローラと所定の間隔を保ち、かつ、搬送路側に位置してその載置されているカードを繰出す繰出ローラを有するとともに、そのアイドリングローラの支軸を回転軸としてその繰出ローラ側のカードを持上げることのできるソレノイドで駆動されるレバーを有していることを特徴としている。
本発明の請求項３に記載のカード処理装置は、制御手段は、カードに対してアンテナを介して所定のリードライトを行う際、その所定のリードライトを行うための駆動電源以外はオフにされることを特徴としている。
本発明の請求項４に記載のカード処理装置は、カード処理装置の本体は、並設されるパチンコ台等の遊技台の台間部に設置されるものであることを特徴としている。
本発明の請求項５に記載のカード処理装置は、カードは、その平面形状は長方形を呈し、その長方形の短辺は、並設されるパチンコ台等の遊技台の台間部の間隔よりも少し小さく形成されていることを特徴としている。
【発明の効果】
【０００８】
本発明の請求項１に記載のカード処理装置は、複数枚の非接触型ＩＣカードからなるカードを積層して収納するカードスタッカと、そのカードスタッカの下部に設けられ、そのカードスタッカからカードを１枚ずつ繰出し、又はそのカードスタッカの下部側からそのカードスタッカにカードを収納させる繰出・収納機構と、前記カードスタッカ及びそのカードスタッカから所定距離離れた位置に設けられているカード挿入口間に設けられたカードを搬送させる搬送路と、その搬送路で搬送されるカードの搬送位置を検出する検出手段と、前記搬送路の途中で、かつ、その搬送路に接近して設けられた前記カードと交信するためのアンテナと、前記カードスタッカから前記繰出・収納機構を介して繰出されたカード、又は前記カード挿入口から挿入されたカードが前記搬送路を介して前記アンテナに対向する所定位置まで搬送されたときに、その搬送路の駆動を停止してそのカードに対してそのアンテナを介して所定のリードライトを行い、その所定のリードライトの終了したカードをその搬送路を介してそのカードスタッカまで搬送するとともに、その繰出・収納機構を介してそのカードスタッカに収納し、又はその所定のリードライトの終了したカードをその搬送路を介してそのカード挿入口へ排出する制御手段とを有するので、カードスタッカから繰出されたカード又はそのカードスタッカに収納されるカード、あるいはカード挿入口から挿入され又はカード挿入口に排出されるカードに対して、効率よく所定のデータのリードライトを行うことができる。
本発明の請求項２に記載のカード処理装置は、繰出・収納機構をカードを載置するアイドリングローラ及びそのアイドリングローラと所定の間隔を保ち、かつ、搬送路側に位置してその載置されているカードを繰出す繰出ローラと、そのアイドリングローラの支軸を回転軸としてその繰出ローラ側のカードを持上げることのできるソレノイドで駆動されるレバーとで構成しているので、繰出・収納機構を小型に、かつ、簡単に実施することができる。
本発明の請求項３に記載のカード処理装置は、制御手段は、カードに対してアンテナを介して所定のリードライトを行う際、その所定のリードライトを行うための駆動電源以外をオフにするので、ノイズや磁気の影響を排してカードのリードライトを正確に行うことができる。
本発明の請求項４に記載のカード処理装置は、カード処理装置の本体は、並設されるパチンコ台等の遊技台の台間部に設置されるので、カード処理を遊技台で効率よく行うことが可能となる。
本発明の請求項５に記載のカード処理装置は、カードは、その平面形状は長方形を呈し、その長方形の短辺は、並設されるパチンコ台等の遊技台の台間部の間隔よりも少し小さく形成されているので、台間部に効率よく実装することが可能となる。
【発明を実施するための最良の形態】
【０００９】
以下、本発明を実施するための最良の形態を図面に基づいて説明する。図１は、本発明の一実施の形態に係るカード処理装置を適用したパチンコ台の遊技島の一部の正面図であり、各パチンコ台Ｐ，Ｐ…の台間部Ｐ′，Ｐ′…の下部の内側には、カード処理装置の本体（以下、「装置本体」という。）ａ，ａ…がそれぞれ組込まれている。
【００１０】
各台間部Ｐ′，Ｐ′…の構成は同一なので、一つの台間部Ｐ′を例に説明すると、台間部Ｐ′には、上から下に向けて、順に、装置本体ａの通信状態等の所定の稼動状態を表示する表示灯１、パチンコ玉の購入代金の紙幣を挿入する紙幣挿入口２、挿入金額や残額等の所定の内容を表示する表示画面３、後述するメンバーカードの識別情報等の所定の内容を入力するためのテンキー４、保守点検時に台間部Ｐ′を手前に引出し可能とするための図示しないロック機構を解錠するためのキーを挿入するためのキー穴５、パチンコ玉（図示せず）を上皿に排出する玉払出６、本発明に係るビジター用のカードＣ（後述の図２のＣ参照）を挿入するためのカード挿入口７及びパチンコ店の所定の会員に対して発行されている図示しないメンバーカードを挿入するためのカード挿入口８が設けられている。
【００１１】
図２は、装置本体ａの概略構成図、図３は、図２のＡ−Ａ線拡大断面図、図４は、図２のＢ−Ｂ線拡大断面図である。図中、Ｃは、非接触型ＩＣカードからなるカードであって、無線通信機能を備えたＩＣカードから構成され、その平面形状は、図２の右側上部に示されるように長方形（短冊形）を呈していて、その短辺の長さは、台間部Ｐ′の幅よりも少し小さく、例えば２５ｍｍに形成され、その長辺の長さは、例えば６０ｍｍに形成されている。そして、このカードＣの内部には、後述する電気回路が内蔵されている。
【００１２】
図中、１０は、装置本体ａのフレームＦに設けられたカードスタッカであって、上述のように、平面形状が長方形のカードＣを複数枚（例えば５０枚）積層して収納できる空間を有し、かつ、上部及び下部がそれぞれ開口して形成されている。このカードスタッカ１０には、カードスタッカ１０内の満杯を検出するセンサ１１及びニアエンドを検出するセンサ１２が設けられている。これらセンサ１１，１２は反射型センサ又は透過型センサ等の周知のセンサを用いることができる。
【００１３】
このカードスタッカ１０は、カードスタッカ１０内へのカードＣの供給（補給）又は取出しを容易にするために、側壁面の一部（図２の例では正面側の側壁面）が一辺（例えば下辺）を回転軸として開閉できるように構成されている。したがって、台間部Ｐ′が図１において手前に引出されたときに、その側壁面を開けてカードＣの補給又は取出しを容易に行うことができる。なお、図中、１３は、カードスタッカ１０内に積層されているカードＣの浮き上がりを防止するための重り（ウエイト）である。また、このカードスタッカ１０の下部の後述する搬送路側には、カードＣを１枚ずつ繰出しができ、さらに、その搬送路側からのカードＣを受入れることができる間隙が厚み規制プレート１０ａによって形成されている。
【００１４】
図中、１４は、カード繰出・収納機構であって、上記カードスタッカ１０の下部に設けられている。このカード繰出・収納機構１４には、カードスタッカ１０の下部の開口面に位置するアイドリングローラ１５及び繰出ローラ１６が設けられている。これら両ローラ１５，１６のローラ上面を結ぶ方向は、後述する搬送路の搬送方向と一致するように設けられ、さらに、これらローラ１５，１６のうち、アイドリングローラ１５は、フレームＦに設けられている支軸１７に回動自在に設けられている。また、繰出ローラ１６は、フレームＦに設けられている支軸１６ａに回転自在に設けられていて、円周の一部が切欠かれた形状を呈し、アイドリングローラ１５と所定の間隔を保ち、かつ、後述する搬送路側に設けられている。上述から明らかなように、これら両ローラ１５，１６は、カードスタッカ１０内に収納されているカードＣを載置するように、つまり、カードスタッカ１０の底面を形成する働きを有している。
【００１５】
図中、１８は、Ｌ字状を呈したレバーであって、上記アイドリングローラ１５の支軸１７に回転自在に軸支されている。そして、このレバー１８の一方の片１８ａは、繰出ローラ１６側まで伸びてその繰出ローラ１６を中間に挟むように配置されているとともに（図３参照）、他方の片１８ｂは、アイドリングローラ１５の下方に伸びてフレームＦに固定されているソレノイド１９のロッド１９ａに接続されている。そして、このソレノイド１９が駆動されてロッド１９ａが縮小したときに（図２の二点鎖線参照）、少なくともカードスタッカ１０内の繰出ローラ１６側（搬送路側）のカードＣをカードＣの１枚分の厚さ以上の距離、持上げることができるようにレバー１８の大きさ及びソレノイド１９のロッド１９ａの駆動長さが決められている。また、レバー１８の他方の片１８ｂの近くのフレームＦには、このレバー１８が作動したとき、すなわち、ソレノイド１９が駆動したことを検知するリミットスイッチからなるスイッチ２０が設けられている。
【００１６】
図中、２１は、搬送路であって、この搬送路２１は、上記カード挿入口７と上記アイドリングローラ１５及び繰出ローラ１６の上面位置とを結ぶ線上に形成され、カードＣの長手方向の長さ（以下、この長さを「カード長さ」という。）よりも少し短い所定の間隔を保って設けられた一対のローラ２１ａ，２１ｂにより構成されている。また、これらローラ２１ａ，２１ｂには、カードＣをローラ２１ａ，２１ｂ側に押圧するピンチローラ２２ａ，２２ｂがそれぞれ設けられている。すなわち、これらピンチローラ２２ａ，２２ｂは、ローラ２１ａ，２１ｂ側に向かってそれぞれ移動自在に軸支されているとともに、ばね２３ａ，２３ｂにより、常時、ピンチローラ２２ａ，２２ｂをローラ２１ａ，２１ｂに向けて付勢できるように構成されている。そして、これら一対のローラ２１ａ，２１ｂ、カード挿入口７及び繰出ローラ１６の配置関係は、一対のローラ２１ａ，２１ｂ間は、上述したようにカードＣのカード長さより短く決められている。そして、これら一対のローラ２１ａ，２１ｂのうち、カード挿入口７側のローラ２１ａとそのカード挿入口７との間隔は、カード長さよりも十分に近い間隔となるように決められているとともに、一対のローラ２１ａ，２１ｂのうちの繰出ローラ１６側のローラ２１ｂとその繰出ローラ１６との間隔は、カード長さよりも短い所定の間隔となるように決められている。したがって、カード挿入口７及びアイドリングローラ１５間にカードＣが位置したときは、常時、いずれかのローラに位置することができる。
【００１７】
図中、Ｍはモータであって、ステッピングモータあるいはサーボモータ等の比較的精密な回転数の制御ができ、また、回転軸Ｍ′を時計方向に回転（以下、この回転を「正転」という。）させるとともに、その回転軸Ｍ′を反時計方向に回転（以下、この回転を「逆転」という。）させることができるモータにより構成されている。そして、このモータＭの回転は、モータＭの回転軸Ｍ′に設けられた歯車２４及びこの歯車２４に螺合されている歯車２５を介してその歯車２５と同軸で一体化されているプーリ２６に伝達されるように構成されている。
【００１８】
プーリ２６は、上記ローラ２１ａと同軸で、かつ、そのローラ２１ａと一体化されているプーリ２７とタイミングベルトからなるベルト２８を介して連結され、このプーリ２７は、上記ローラ２１ｂと同軸で、かつ、そのローラ２１ｂと一体化されているプーリ２９とタイミングベルトからなるベルト３０を介して連結され、そして、このプーリ２９は、上記繰出ローラ１６と同軸で、かつ、その繰出ローラ１６と一体化されているプーリ３１とタイミングベルトからなるベルト３２を介して接続されている。したがって、モータＭが正転したときは、カードＣをカード挿入口７側からカードスタッカ１０側（カード繰出・収納機構１４側）へ搬送することができ、他方、そのモータＭが逆転したときは、カードＣをカードスタッカ１０側（カード繰出・収納機構１４側）からカード挿入口７側へ向けて搬送することができる。なお、図３及び図４では、図面を簡略化するために、上述のプーリ及びベルトは省略されている。
【００１９】
図中、３３ａ〜３３ｃは、光電素子からなるセンサである。これらセンサ３３ａ〜３３ｃのうちセンサ３３ａ，３３ｃは、上記両ローラ２１ａ，２１ｂの外側にそれぞれ位置するように配置され、残りのセンサ３３ｂは、両ローラ２１ａ，２１ｂのほぼ中間位置となるように配置されている。したがって、これらセンサ３３ａ〜３３ｃは、両ローラ２１ａ，２１ｂを介して搬送されるカードＣが光線を遮光することによりカードＣの搬送位置を検出することができる。
【００２０】
図中、３４は、上記両ローラ２１ａ，２１ｂ間、すなわち、搬送路の途中に設けられたアンテナであって、装置本体ａとカードＣとの間で非接触でデータ授受を行うときに用いられ、後述するリーダライタに接続されている。
【００２１】
図５は、装置本体ａを統括的に制御するための、本発明の制御手段を担う制御器５０（図２では省略されている。）及びカードＣの電気的構成を示すブロック図である。先ず、制御器５０側から説明すると、この制御器５０は、ＲＯＭ５１に格納されているシステムプログラムデータ及びＲＡＭ５２に格納されているワーキングデータを用いて所定の演算処理を行う中央処理部（ＣＰＵ）５３を有している。
【００２２】
上記ＣＰＵ５３は、Ｉ／Ｏユニット５４を介してモータＭを駆動制御するモータドライバ５５と、ソレノイド１９を駆動制御するソレノイドドライバ５６と、センサ３３ａ〜３３ｃのセンサ出力を入力するセンサアンプ５７と、上記アンテナ３４を接続しているリーダライタ５８とを接続している。このリーダライタ５８は、カードＣに記録されているカードＩＤや金額データ等の所定のカードデータを読取るとともに、そのカードＣに対して新たなカードデータを記録（書込み）し、さらに、カードＣに対して電力波を供給できるように構成されている。
【００２３】
なお、Ｉ／Ｏユニット５４には、上述の他に、カードスタッカ１０内のカードＣを検出するためのセンサドライバやスイッチ２０の信号を入力する入力ドライバ等も接続されているが、ここでは省略されているとともに、図示しない金銭処理ユニット、メンバーカードを処理するカード処理ユニット等も接続されているが、ここでは省略されている。
【００２４】
カードＣは、周知の無線通信機能を有するＩＣカードと同様に構成されている。すなわち、このカードＣは、装置本体ａ側とアンテナ６０を介して通信を行う通信制御部６１と、所定の演算処理を行うＣＰＵ６２と、カードＩＤ、金額データ及び所定のプログラムデータ等のカードデータを記録するメモリ６３と、装置本体ａ側から電力波を受けてカードＣの駆動電源を生成する電力生成回路６４とを含んで構成されている。
【００２５】
以下、図６のフローチャートを用いて装置本体ａの制御動作について説明する。今、遊技者が紙幣挿入口２に所定金額の紙幣を挿入したとする（ステップ１００肯定。以下、ステップを「Ｓ」とする。）。その挿入された紙幣は、図示しない金銭処理ユニットにおいて真正な紙幣と判定されると（Ｓ１０２肯定）、遊技島内の図示しない所定の場所に搬送されて収納される。もちろん、挿入された紙幣が真正なものと判定されないときは返却される（Ｓ１０２否定、Ｓ１０３）。
【００２６】
真正な所定金額の紙幣が受入れられると、モータＭが逆転を開始して繰出ローラ１６が回転し、カードスタッカ１０内から１枚のカードＣが繰出され、その繰出されたカードＣの搬送が開始される（Ｓ１０４）。この際、センサ３３ｂがカードＣを検出した時点でモータＭが停止されるとともに、ソレノイド１９が駆動されてレバー１８が上昇させられる。これにより、２枚以上のカードＣの繰出しが防止される。次いで、モータＭの逆転が再度開始され、センサ３３ｃがカードＣを検出しなくなった時点でモータＭが停止される。この時点でカードＣは、センサ３３ｂで検出され、センサ３３ａ，３３ｃで検出されない位置、すなわち、アンテナ３４に最も接近した位置となり、これらセンサ３３ａ〜３３ｃのこのような検出条件の下に、カードＣはアンテナ位置に位置したと判定されて（Ｓ１０６肯定）次のリードライト処理が開始される。なお、センサ３３ｃがカードＣを検出しなくなった時点でソレノイド１９が駆動を停止し、レバー１８は、積層されているカードＣ及び重り１３により回動し、カードスタッカ１０内のカードＣの持上げは解消される。そして、レバー１８が図２の実線位置に復帰したことがスイッチ２０により確認される。
【００２７】
さて、カードＣがアンテナ３４に対向すると、カードＣに対するリーダライタ、すなわち、カードＣに対するカードデータの読取り及び新たなカードデータの書込みが行われるが、この際、リーダライタがノイズの影響を受けることなく正常に行われるようにするために、アンテナ３４の近辺に位置する部材の電源はＯＦＦとされる。したがって、モータＭ、ソレノイド１９の電源はＯＦＦとされる（Ｓ１０８）。
【００２８】
カードＣに対する新たなカードデータの書込みは、カードＣから読取られたカードＩＤを特定して紙幣挿入口２から挿入された紙幣の金額を所定の暗号化処理の下に行われる（Ｓ１１０）。この新たなカードデータは、カードＣのメモリ６３に書込まれるだけでなく、制御器５０のＲＡＭ５２及びこの制御器５０を介してパチンコ店全体の制御器５０，５０…を管理する事務室等の所定の場所に設置されている図示しないホストコンピュータにも記憶される。したがって、図５では省略されているが、制御器５０は、Ｉ／Ｏユニット５４に設けられている図示しない通信制御部を介して上述のホストコンピュータと接続されている。
【００２９】
カードＣに新たなカードデータが書込まれると、遊技者による遊技が可能となる。すなわち、テンキー４を介して所定の信号を入力することにより紙幣挿入口２から挿入した紙幣の金額の範囲内でパチンコ玉を排出して遊技することができる。この遊技においてカードＣの金額が０になると（Ｓ１１２肯定）、カードＣはカードスタッカ１０へ回収される（Ｓ１１４）。この回収は、先ず、ソレノイド１９が駆動してレバー１８が持上げられ、これによりカードスタッカ１０内のカードＣの繰出ローラ１６側が持上げられる。次いで、モータＭが正転され、この正転は、カードＣがセンサ３３ｂで検出されなくなるまで続けられる。センサ３３ｂがカードＣを検出しなくなった時点におけるカードＣの搬送方向側の先端位置は、カードスタッカ１０の下部に位置した状態にある。したがって、モータＭが停止し、ソレノイド１９も駆動が停止させられると、アンテナ３４側から搬送されてきたカードＣの一部は、カードスタッカ１０の積層状態のカードＣの最も下側に食い込んだ状態に置かれる。次いで、モータＭの正転が再び開始されてカードＣが繰出ローラ１６によりカードスタッカ１０内に押込まれ、センサ３３ｃがカードＣを検出しなくなった時点でモータＭの正転は停止される。このとき、センサ３３ａ〜３３ｃは、全てカードＣを検出しない状態となり、センサ３３ａ〜３３ｃのこのような条件を基にカードＣはカードスタッカ１０内に回収されたと判定される。
【００３０】
ところで、カードＣに残額が記憶されている状態で遊技者が他のパチンコ台Ｐに移動することを希望する場合がある。このときは、遊技者によってテンキー４からカードＣの返却を希望する所定の信号が入力される。この所定の信号が入力されると（Ｓ１１２否定、Ｓ１１６肯定）、カードＣは、カード挿入口７に排出されて返却される（Ｓ１１８）。すなわち、テンキー４から所定の信号が入力されると、先ず、ソレノイド１９が駆動してレバー１８が持上げられてモータＭの逆転によるカードスタッカ１０内からのカードＣの繰出しを無効とした状態でモータＭの逆転が開始され、この逆転はセンサ３３ｂがカードＣを検出しなくなるまで続けられる。センサ３３ｂがカードＣを検出しなくなった時点において、カードＣの一部はカード挿入口７から突出した状態に置かれる。そして、遊技者がカード挿入口７からカードＣを抜取ると、センサ３３ａがカードを検出しなくなるので、センサ３３ａがカードＣを検出しなくなったことをもってカードＣの返却が確認される。  
【００３１】
次に、カードＣの返却を受けた遊技者が他のパチンコ台Ｐで遊技する場合の制御動作について説明する。この場合は、紙幣挿入口２に紙幣が挿入されることなく、カード挿入口７にカードＣが挿入される（Ｓ１００否定、Ｓ２００肯定）。カード挿入口７にカードＣが挿入されると、センサ３３ａによりカードＣが検出されるので、先ず、ソレノイド１９が駆動し、次いで、モータＭがそのカードＣを取込むために正転が開始される（Ｓ２０２）。このモータＭの正転は、センサ３３ａがカードＣを検出しなくなるまで続けられる。そして、センサ３３ｂがカードＣを検出し、センサ３３ａ，３３ｃがカードＣを検出しないことをもってカードＣがアンテナ３４の位置に位置したと判定されて（Ｓ２０４肯定）、上述したと同様にしてカードＣに対するリードライト処理が行われる（Ｓ１０８、Ｓ１１０）。もちろん、このリードライト処理においては、新たな金額データの書込みは行われず、残額データの確認と、このカードＣが挿入されたパチンコ台の号機データ等の所定のデータの書込みが行われる。
【００３２】
なお、図６のフローチャートでは省略されているが、カードＣの残額が０になってカードＣがカードスタッカ１０へ回収された後も、同じパチンコ台Ｐで遊技しようとするときは、紙幣挿入口２に所定の金額の紙幣を挿入すると、カードスタッカ１０からカードＣが繰出されて、上述したと同様のカードＣに対するリードライト処理が行われる。
【００３３】
また、上述の例では、遊技台としてパチンコ台の例を示したが、スロットマシン等の他の遊技台であってもよいことはもちろんである。
【図面の簡単な説明】
【００３４】
【図１】本発明の一実施の形態に係るカード処理装置を組込んだパチンコ台の遊技島の一部の正面図である。
【図２】本発明の一実施の形態に係るカード処理装置の本体の概略構成図である。
【図３】図２のＡ−Ａ線拡大断面図である。
【図４】図２のＢ−Ｂ線拡大断面図である。
【図５】制御器及びカードの電気的構成を示すブロック図である。
【図６】制御動作を示すフローチャートである。
【符号の説明】
【００３５】
Ｐ  パチンコ台
Ｐ′  台間部
Ｃ  カード
Ｍ  モータ
Ｆ  フレーム
１  表示灯
２  紙幣挿入口
３  表示画面
４  テンキー
５  キー穴
６  玉払出
７  カード挿入口
８  カード挿入口
１０  カードスタッカ
１１，１２  センサ
１５  アイドリングローラ
１６  繰出ローラ
１８  レバー
１９  ソレノイド
２１  搬送路
２１ａ，２１ｂ  ローラ
２２ａ，２２ｂ  ピンチローラ
３３ａ〜３３ｃ  センサ
３４  アンテナ
５０  制御器
【図１】
2005320117.tif 000003
【図２】
2005320117.tif 000004
【図３】
2005320117.tif 000005
【図４】
2005320117.tif 000006
【図５】
2005320117.tif 000007
【図６】
2005320117.tif 000008